(57)【要約】【課題】基板の実装面からのコネクタの突出量と基板の実装面と反対側の面からのコネクタの突出量とを少なくし、コンタクトの露出量を少なくする。【解決手段】ハウジング５０を、ＬＥＤ実装基板８１に形成された切欠８１ａに挿入されるハウジング本体５１と、ハウジング本体５１に連なり、ＬＥＤ実装基板８１と対向する天板部５２とで構成した。ハウジング本体５１に、コンタクト３０の接触部３４を収容するとともに、ケーブルコネクタ７０のハウジング７１をハウジング本体５１と天板部５２とが連なる方向ＤＳと直交するコンタクト挿入方向ＤＩから受け容れるコネクタ受容部５１ａを形成した。【選択図】図１
2012221872.tif 000002
【特許請求の範囲】
【請求項１】
コンタクトと、このコンタクトを保持するハウジングとを備え、基板に実装され、相手側コネクタに嵌合されるコネクタにおいて、
前記コンタクトは、前記ハウジングに保持される保持部と、前記保持部に連なり、前記相手側コネクタの相手側コンタクトに接触する接触部とを有し、
前記ハウジングは、前記基板に形成された被挿入部に挿入されるハウジング本体と、前記ハウジング本体に連なり、前記基板と対向する天板部とを有し、
前記ハウジング本体に、前記接触部を収容するとともに、前記相手側コネクタの相手側ハウジングを前記ハウジング本体と前記天板部とが連なる方向と直交するコネクタ嵌合方向から受け容れるコネクタ受容部が設けられ、
前記天板部に、前記ハウジング本体と前記天板部とが連なる方向と直交するコンタクト挿入方向から前記保持部を受け容れる保持部受容部が設けられている
ことを特徴とするコネクタ。
【請求項２】
前記接触部は、前記コンタクト挿入方向と反対方向へ延びる接触部分を有する
ことを特徴とする請求項１記載のコネクタ。
【請求項３】
前記ハウジング本体の底面は開放されている
ことを特徴とする請求項１又は２記載のコネクタ。
【請求項４】
前記コネクタ嵌合方向へ延び、前記相手側コネクタの相手側ハウジングに形成されたキーと嵌合するキー溝が、前記コネクタ受容部の内壁面に形成されている
ことを特徴とする請求項３記載のコネクタ。
【請求項５】
前記相手側コネクタの相手側ハウジングに形成され前記コネクタ嵌合方向へ延びたキー溝と嵌合するキーが、前記コネクタ受容部の内壁面に形成されている
ことを特徴とする請求項３記載のコネクタ。
【請求項６】
前記相手側コネクタの相手側ハウジングの両側面部に形成された前記コネクタ嵌合方向へ延びるロック用アームと係合する穴が、前記ハウジング本体の両側面部に形成されている
ことを特徴とする請求項１〜５のいずれか１項記載のコネクタ。
【請求項７】
前記穴は、前記相手側コネクタを前記コネクタ受容部に前記コネクタ嵌合方向から嵌合したとき前記ロック用アームと前記基板との間に隙間が形成されるように、配置されている
ことを特徴とする請求項６記載のコネクタ。
【請求項８】
前記コンタクトは、前記保持部に連なり前記基板の実装面に接続される接続部を有し、
前記接続部は前記天板部から前記ハウジング本体と前記天板部とが連なる方向と直交する方向へ突出し、その接続部の先端が前記ハウジングに向かって折れ曲がっている
ことを特徴とする請求項１〜７のいずれか１項記載のコネクタ。
【請求項９】
前記天板部を上方から見たときその天板部によって前記コンタクトのほぼ全体が覆い隠されることを特徴とする請求項８記載のコネクタ。
【請求項１０】
前記接続部がほぼＵ字状であることを特徴とする請求項８又は９記載のコネクタ。
【請求項１１】
前記コンタクトは複数の前記接続部を有することを特徴とする請求項８〜１０記載のいずれか１項記載のコネクタ。
【発明の詳細な説明】
【技術分野】
【０００１】
この発明はコネクタに関する。
【背景技術】
【０００２】
従来、基板に形成された開口にコネクタ組立体（コネクタ）の一部を挿入することによって基板の実装面からのコネクタ組立体の突出量を少なくする技術が知られている（下記特許文献１参照）。
【０００３】
コネクタ組立体１０４は、図１７、図１８に示すように、ハウジング１１４と２つのコンタクト１１２と２つのタブ２０４とを備えている。なお、図１７は特許文献１の図５に、図１８は特許文献１の図３にそれぞれ対応する。
【０００４】
ハウジング１１４の後端２１８には開口３０２が形成されている。また、ハウジング１１４の後端２１８からハウジング１１４の側面３２０にかけて上側スロット５０２が形成されている。更に、ハウジング１１４の側面３２０にはハウジング１１４の前端２１６から後端２１８に向かって下側スロット５１０が延びている。下側スロット５１０の終端は棚部５１２となっている。ハウジング１１４の対向する側面２１２，２１４にはそれぞれ突起２１０が形成されている。突起２１０はハウジング１１４の後端２１８からハウジング１１４の前後方向のほぼ中間位置まで延びている。突起２１０にはスロット（図示せず）が形成されている。スロットはハウジング１１４の前後方向へ延び、突起２１０の前端は開放されている。
【０００５】
ハウジング１１４の前端２１６は開放されている。ハウジング１１４はその前後方向（基板１１８の実装面３１６と直交する方向）で相手側コネクタ（図示せず）を受け容れる。
【０００６】
コンタクト１１２は挿入部５００と平坦部３０４と傾斜部３０６と実装部３０８とを有する。挿入部５００は開口３０２を通じてハウジング１１４内に挿入される。平坦部３０４は挿入部５００に連なり、上側スロット５０２に挿入される。傾斜部３０６は平坦部３０４に連なる。傾斜部３０６の傾斜面５０６と反対側の面には保持バーブ５０８が形成されている。実装部３０８は傾斜部３０６に連なる。挿入部５００を開口３０２に挿入すると、平坦部３０４が上側スロット５０２に挿入されるとともに、傾斜部３０６の保持バーブ５０８が棚部５１２に引っ掛かる。その結果、コンタクト１１２はハウジング１１４に固定される。
【０００７】
タブ２０４は挿入部５１４と実装面２０８と曲げ部２０６とを有する。挿入部５１４は保持バーブ５１６を有する。曲げ部２０６は挿入部５１４と実装面２０８との間に設けられている。挿入部５１４をハウジング１１４の突起２１０のスロットに挿入すると、保持バーブ５１６がスロットの内面に引っ掛かる。その結果、タブ２０４はハウジング１１４に固定される。
【０００８】
コネクタ組立体１０４を基板１１８に実装するには、まず、コネクタ組立体１０４のハウジング１１４をその前端２１６から基板１１８の開口１１６に挿入し、コンタクト１１２の実装部３０８を基板１１８のコンタクトパッド３１２上に配置し、タブ２０４の実装面２０８を基板１１８の実装パッド３１４上に配置する。
【０００９】
その後、コンタクト１１２の実装部３０８をコンタクトパッド３１２に半田付けし、タブ２０４の実装面２０８を実装パッド３１４に半田付けする。
【００１０】
以上の作業により、コネクタ組立体１０４は基板１１８に実装される。
【先行技術文献】
【特許文献】
【００１１】
【特許文献１】特開２０１０−３６８８号公報（段落００１０〜００１８、図３、図５参照）
【発明の概要】
【発明が解決しようとする課題】
【００１２】
上述のように、コネクタ組立体１０４のハウジング１１４は基板１１８の実装面３１６と反対側の面から突出し、実装面３１６と直交する方向で相手側コネクタを受け容れる。このため、基板１１８の実装面３１６と反対側に相手側コネクタをコネクタ組立体１０４に嵌合する作業を行うための大きなスペースを必要とする。
【００１３】
例えば、コネクタ組立体１０４を液晶テレビのバックライトのＬＥＤに電力を供給するために用いられるコネクタとして用いた場合、コネクタ組立体１０４の相手側コネクタであるケーブルコネクタのケーブルを直角に曲げる必要があるが、ケーブルの曲げ半径をある程度大きくしないと、ケーブルに大きなストレスがかかり、断線を招くおそれがある。これを避けるには、基板１１８の実装面３１６と反対側に大きなスペースが必要であり、結果的に液晶テレビの薄型化を困難にしていた。
【００１４】
更に、上述のコネクタ組立体では、コンタクトの平坦部をハウジングの上下方向に沿ってハウジングの上側スロットに挿入し、コンタクトの傾斜部の保持バーブをハウジングの下側スロットの棚部に引っ掛け、タブの挿入部をハウジングの上下方向に沿ってハウジングの突起のスロットに挿入する構成が開示されているので、コネクタ組立体の基板の実装面から突出する部分が高くなる。その結果、コネクタ組立体の近傍に配置されたＬＥＤの光がコンタクト組立体に当たって遮られる。
【００１５】
また、上述のコネクタ組立体では、コンタクトの傾斜部及び実装部はハウジングの外にあり、コンタクトの平坦部も上側スロットを通じて露出している。その結果、このコネクタ組立体を用いた照明装置では、コンタクトの露出部分が他の部分よりも暗くなり、明るさにむらが生じる。
【００１６】
この発明はこのような事情に鑑みてなされたもので、その課題は基板の実装面からのコネクタの突出量と基板の実装面と反対側の面からのコネクタの突出量とを少なくし、コンタクトの露出量を少なくすることである。
【課題を解決するための手段】
【００１７】
前述の課題を解決するため請求項１記載の発明は、コンタクトと、このコンタクトを保持するハウジングとを備え、基板に実装され、相手側コネクタに嵌合されるコネクタにおいて、前記コンタクトは、前記ハウジングに保持される保持部と、前記保持部に連なり、前記相手側コネクタの相手側コンタクトに接触する接触部とを有し、前記ハウジングは、前記基板に形成された被挿入部に挿入されるハウジング本体と、前記ハウジング本体に連なり、前記基板と対向する天板部とを有し、前記ハウジング本体に、前記接触部を収容するとともに、前記相手側コネクタの相手側ハウジングを前記ハウジング本体と前記天板部とが連なる方向と直交するコネクタ嵌合方向から受け容れるコネクタ受容部が設けられ、前記天板部に、前記ハウジング本体と前記天板部とが連なる方向と直交するコンタクト挿入方向から前記保持部を受け容れる保持部受容部が設けられていることを特徴とする。
【００１８】
請求項２記載の発明は、請求項１記載のコネクタにおいて、前記接触部は、前記コンタクト挿入方向と反対方向へ延びる接触部分を有することを特徴とする。
【００１９】
請求項３記載の発明は、請求項１又は２記載のコネクタにおいて、前記ハウジング本体の底面は開放されていることを特徴とする。
【００２０】
請求項４記載の発明は、請求項３記載のコネクタにおいて、前記コネクタ嵌合方向へ延び、前記相手側コネクタの相手側ハウジングに形成されたキーと嵌合するキー溝が、前記コネクタ受容部の内壁面に形成されていることを特徴とする。
【００２１】
請求項５記載の発明は、請求項３記載のコネクタにおいて、前記相手側コネクタの相手側ハウジングに形成され前記コネクタ嵌合方向へ延びたキー溝と嵌合するキーが、前記コネクタ受容部の内壁面に形成されていることを特徴とする。
【００２２】
請求項６記載の発明は、請求項１〜５のいずれか１項記載のコネクタにおいて、前記相手側コネクタの相手側ハウジングの両側面部に形成された前記コネクタ嵌合方向へ延びるロック用アームと係合する穴が、前記ハウジング本体の両側面部に形成されていることを特徴とする。
【００２３】
請求項７記載の発明は、請求項６記載のコネクタにおいて、前記穴は、前記相手側コネクタを前記コネクタ受容部に前記コネクタ嵌合方向から嵌合したとき前記ロック用アームと前記基板との間に隙間が形成されるように、配置されていることを特徴とする。
【００２４】
請求項８記載の発明は、請求項１〜７のいずれか１項記載のコネクタにおいて、前記コンタクトは、前記保持部に連なり前記基板の実装面に接続される接続部を有し、前記接続部は前記天板部から前記ハウジング本体と前記天板部とが連なる方向と直交する方向へ突出し、その接続部の先端が前記ハウジングに向かって折れ曲がっていることを特徴とする。
【００２５】
請求項９記載の発明は、請求項８記載のコネクタにおいて、前記天板部を上方から見たときその天板部によって前記コンタクトのほぼ全体が覆い隠されることを特徴とする。
【００２６】
請求項１０記載の発明は、請求項８又は９記載のコネクタにおいて、前記接続部がほぼＵ字状であることを特徴とする。
【００２７】
請求項１１記載の発明は、請求項８〜１０記載のいずれか１項記載のコネクタにおいて、前記コンタクトは複数の前記接続部を有することを特徴とする。
【発明の効果】
【００２８】
この発明によれば、基板の実装面からのコネクタの突出量と基板の実装面と反対側の面からのコネクタの突出量とを少なくし、コンタクトの露出量を少なくすることができる。
【図面の簡単な説明】
【００２９】
【図１】図１はこの発明の第１の実施形態のコネクタの斜視図である。
【図２】図２は図１に示すコネクタの側面図である。
【図３】図３は図１に示すコネクタのコンタクトを斜め上方から見た斜視図である。
【図４】図４は図１に示すコネクタのハウジングを斜め下方から見た斜視図である。
【図５】図５は図４に示すハウジングを斜め上方から見た斜視図である。
【図６】図６は図４に示すハウジングの底面図である。
【図７】図７はコネクタをＬＥＤ実装基板に実装する前の状態を示す斜視図である。
【図８】図８はＬＥＤ実装基板に実装されたコネクタにケーブルコネクタを接続する前の状態を示す斜視図である。
【図９】図９はＬＥＤ実装基板に実装されたコネクタにケーブルコネクタを接続する前の状態を示す側面図である。
【図１０】図１０はＬＥＤ実装基板に実装されたコネクタにケーブルコネクタを接続した状態を示す斜視図である。
【図１１】図１１はＬＥＤ実装基板に実装されたコネクタにケーブルコネクタを接続した状態を示す側面図である。
【図１２】図１２はこの発明の第２の実施形態のコネクタの斜視図である。
【図１３】図１３は図１２に示すコネクタの側面図である。
【図１４】図１４は図１３に示すコネクタのハウジングを斜め下方から見た斜視図である。
【図１５】図１５は図１４に示すハウジングを斜め上方から見た斜視図である。
【図１６】図１６はＬＥＤ実装基板に実装されたコネクタにケーブルコネクタを接続する前の状態を示す側面図である。
【図１７】図１７は従来のコネクタ組立体の分解斜視図である。
【図１８】図１８は図１７に示すコネクタ組立体をプリント基板に実装する前の状態を示す斜視図である。
【発明を実施するための形態】
【００３０】
以下、この発明の実施の形態を図面に基づいて説明する。
【００３１】
図７に示すように、コネクタ１０は、複数のＬＥＤ８３が実装されたＬＥＤ実装基板（基板）８１に実装され、ケーブルコネクタ（相手側コネクタ）７０（図８、図９参照）のケーブル７２とＬＥＤ実装基板８１とを接続してＬＥＤ実装基板８１上の複数のＬＥＤ８３に図示しない電源からの電力を供給可能にするコネクタである。この実施形態ではＬＥＤ８３はバックライト（図示せず）の光源である。
【００３２】
図１、図２に示すように、コネクタ１０は２つのコンタクト３０と１つのハウジング５０とを備えている。
【００３３】
図３に示すように、コンタクト３０は１つの保持部３１と２つの接続部３２，３３と１つの接触部３４とを有する。コンタクト３０は１つの金属板に打抜き加工及び曲げ加工を施すことによって形成されている。
【００３４】
保持部３１は平板状であり、先端部３１ａと中間部３１ｂと後端部３１ｃとを有する。先端部３１ａと中間部３１ｂと後端部３１ｃとはコンタクト挿入方向ＤＩ（図１参照）へ連なる。保持部３１の板厚方向はハウジング本体５１と天板部５２とが連なる方向ＤＳ（図１参照）とＬＥＤ実装基板８１の板厚方向とのいずれとも一致する。先端部３１ａの一方の側面３１ｈには２つの突起部３１ｅが形成されている。中間部３１ｂは先端部３１ａに連なる。中間部３１ｂの裏面にはダボ（図示せず）が形成されている。後端部３１ｃは中間部３１ｂに連なる。
【００３５】
図１、図３に示すように、接続部３２は保持部３１の中間部３１ｂに連なる。接続部３２はその先端が天板部５２に向かうようにほぼＵ字形に折れ曲がっている。接続部３３は保持部３１の後端部３１ｃに連なる。接続部３３はその先端が天板部５２に向かうようにほぼＵ字形に折れ曲がっている。
【００３６】
図３、図１に示すように、接触部３４は幅広部分３４ａと接触部分３４ｂと連結部分３４ｃとを有する。幅広部分３４ａは保持部３１の中間部３１ｂに連なる。接触部分３４ｂはコネクタ嵌合方向ＤＣ（図１参照）へ延びている。コネクタ嵌合方向ＤＣはハウジング本体５１と天板部５２とが連なる方向ＤＳと直交する方向である。接触部分３４ｂはケーブルコネクタ７０のコンタクト（図示せず）に接触する。連結部分３４ｃはハウジング本体５１と天板部５２とが連なる方向ＤＳへ延び、幅広部分３４ａと接触部分３４ｂとを連結している。
【００３７】
図４、図５に示すように、ハウジング５０はハウジング本体５１と天板部５２とを有する。
【００３８】
ハウジング本体５１はほぼ角筒状であり、コネクタ受容部５１ａを有する。ハウジング本体５１の前面部５１ｂには開口５１ｆが形成され、コネクタ受容部５１ａはハウジング本体５１の前方の空間に通じる。ハウジング本体５１の底面は開放され、コネクタ受容部５１ａはハウジング本体５１の下方の空間に通じる。コネクタ受容部５１ａは、コンタクト３０の接触部３４を収容するとともに、ケーブルコネクタ７０のハウジング（相手側ハウジング）７１（図８、図９参照）をコネクタ嵌合方向ＤＣ（ハウジング５の前後方向）から受け容れる。ハウジング本体５１の両側面部５１ｃには穴５１ｅが形成されている。穴５１ｅはハウジング本体５１の後端部に位置している。
【００３９】
図４、図５に示すように、天板部５２はハウジング本体５１に連なり、ＬＥＤ実装基板８１の実装面８１ｂと対向する（図７参照）。天板部５２の板厚方向はＬＥＤ実装基板８１の板厚方向と一致する。天板部５２には２つの保持部受容部５２ａが形成されている。保持部受容部５２ａはコンタクト挿入方向ＤＩからコンタクト３０の保持部３１を受け容れる。保持部受容部５２ａの保持部３１の先端部３１ａを受け容れる部分は穴（図示せず）になっており、先端部３１ａの四方を囲む。天板部５２の両側部の下面にはそれぞれ凹部５２ｂが形成されている。凹部５２ｂは接続部３２の先端部を受け容れる。また、天板部５２の前面部には２つの凹部５２ｃが形成されている。凹部５２ｃは接続部３３の先端部を受け容れる。天板部５２の上面５２ｄは平坦面であり、溝等がない（図５参照）。
【００４０】
天板部５２からハウジング本体５１にかけて２つの溝５０ａが形成されている（図４、図６参照）。溝５０ａはコンタクト３０の接触部３４の幅広部分３４ａを受け容れる溝である。溝５０ａを介して保持部受容部５２ａとコネクタ受容部５１ａとが通じている。
【００４１】
コンタクト３０をハウジング５０に組み付けるには、ハウジング５０の前方からコンタクト挿入方向ＤＩに沿ってコンタクト３０の保持部３１を天板部５２の保持部受容部５２ａに挿入すればよい（図１参照）。
【００４２】
コンタクト３０の保持部３１を天板部５２の保持部受容部５２ａに挿入すると、保持部３１の先端部３１ａの突起部３１ｅが上述の穴の内壁面（垂直面）に強く接触し、保持部３１の先端部３１ａは上述の穴内で保持される。
【００４３】
コネクタ１０をＬＥＤ実装基板８１に実装するには、まず、図７に示すように、コネクタ１０のハウジング５０のハウジング本体５１をＬＥＤ実装基板８１の切欠（被挿入部）８１ａに挿入する。このとき、コネクタ１０の一方のコンタクト３０の接続部３２をランド８１ｄに、接続部３３をランド８１ｃにそれぞれ配置し、コネクタ１０の他方のコンタクト３０の接続部３２をランド８１ｆに、接続部３３をランド８１ｅにそれぞれ配置する。
【００４４】
その後、コネクタ１０の一方のコンタクト３０の接続部３２，３３をランド８１ｄ，８１ｃに、コネクタ１０の他方のコンタクト３０の接続部３２，３３をランド８１ｆ，８１ｅにそれぞれ半田付けする。
【００４５】
以上の工程を経てコネクタ１０はＬＥＤ実装基板８１に実装される。
【００４６】
次に、図８〜図１１に基づいてコネクタ１０の相手側コネクタであるケーブルコネクタ７０について説明する。ケーブルコネクタ７０はハウジング７１とコンタクト（図示せず）とを備える。ハウジング７１は、ハウジング本体７１ｃと２つのロック用アーム７１ａ，７１ａとを有する。ハウジング本体７１ｃはほぼ筐体状であり、コンタクトを保持する。ロック用アーム７１ａ，７１ａの固定端部はそれぞれハウジング本体７１ｃの側面部に連なる。ロック用アーム７１ａ，７１ａ（図９、図１０参照）の自由端部にそれぞれ爪７１ｂ，７１ｂが形成され、爪７１ｂ，７１ｂの間隔はコネクタ１０のハウジング５０の両側面部５１ｃ，５１ｃの間隔よりも狭く設定されている。ロック用アーム７１ａ，７１ａの爪７１ｂ，７１ｂはそれぞれハウジング本体５１の穴５１ｅ，５１ｅに係合する。ロック用アーム７１ａ，７１ａの爪７１ｂ，７１ｂがそれぞれハウジング本体５１の穴５１ｅ，５１ｅに係合したとき、ロック用アーム７１ａ，７１ａとＬＥＤ実装基板８１との間にわずかな一定の隙間ｇが形成される（図１１参照）。
【００４７】
コネクタ１０にケーブルコネクタ７０を接続するには、図８、図９に示すように、コネクタ１０の前方からコネクタ嵌合方向ＤＣに沿ってケーブルコネクタ７０をコネクタ１０に嵌合する。
【００４８】
コネクタ１０にケーブルコネクタ７０を嵌合するとき、ロック用アーム７１ａ，７１ａが弾性変形し、爪７１ｂ，７１ｂがハウジング本体５１の両側面部５１ｃ，５１ｃ上を摺動し、爪７１ｂ，７１ｂが穴５１ｅ，５１ｅに達すると、ロック用アーム７１ａ，７１ａの弾性力によって爪７１ｂ，７１ｂが穴５１ｅ，５１ｅに入る。このとき、音が発生するので、ケーブルコネクタ７０がコネクタ１０に正常に嵌合したことが分かる。したがって、爪７１ｂ，７１ｂが穴５１ｅ，５１ｅに嵌合したときの音に注意してコネクタ１０とケーブルコネクタ７０との接続作業を行えば、コネクタ１０とケーブルコネクタ７０とが確実に電気的に接続されたことを知ることができる。
【００４９】
また、コネクタ１０にケーブルコネクタ７０をコネクタ嵌合方向ＤＣから嵌合するとき、ロック用アーム７１ａの上面とＬＥＤ実装基板８１の裏面との間にわずかな隙間ｇしかないので、ケーブルコネクタ７０がＬＥＤ実装基板８１の裏面に対して傾こうとしても、ケーブルコネクタ７０のロック用アーム７１ａの上面がＬＥＤ実装基板８１の裏面に接触し、ケーブルコネクタ７０の傾きが抑制される。
【００５０】
この実施形態によれば、ハウジング本体５１と天板部５２とが連なる方向ＤＳと直交するコネクタ嵌合方向ＤＣからハウジング５０のコネクタ受容部５１ａがケーブルコネクタ７０を受け容れるので、ハウジング５０のＬＥＤ実装基板８１の裏面からの突出量を少なくすることができる。
【００５１】
したがって、コネクタ１０を液晶テレビのバックライトのＬＥＤに電力を供給するためのコネクタとして用いれば、ＬＥＤ実装基板８１の裏面側にケーブルコネクタ７０をコネクタ１０に嵌合するための大きなスペースを確保する必要がないとともに、ケーブルコネクタ７０のケーブル７２を直角に曲げる必要もないので、液晶テレビの薄型化を実現することができる。
【００５２】
また、コネクタ１０のコンタクト３０の接触部３４の接触部分３４ｂがコンタクト挿入方向ＤＩと平行な方向へ延びているので、接触部３４とケーブルコネクタ７０の相手側コンタクトとの接触面積を多くすることができ、コンタクト同士の接触安定性が向上する。
【００５３】
更に、ハウジング本体５１の底面が開放され、ハウジング本体５１の底面部が存在しないので、その分、ハウジング本体５１のＬＥＤ実装基板８１の裏面からの突出量をより少なくすることができる。
【００５４】
また、ハウジング本体５１の両側面部５１ｃにそれぞれ穴５１ｅが形成され、２つの穴５１ｅ，５１ｅにそれぞれケーブルコネクタ７０のロック用アーム７１ａ，７１ａの爪７+る。
【００５５】
更に、ケーブルコネクタ７０をコネクタ１０に嵌合するときに、ロック用アーム７１ａの上面とＬＥＤ実装基板８１の裏面との間にわずかな隙間ｇしかないので、ケーブルコネクタ７０がＬＥＤ実装基板８１の裏面に対して傾こうとしても、ケーブルコネクタ７０のロック用アーム７１ａがＬＥＤ実装基板８１の裏面に接触してケーブルコネクタ７０の傾きが抑制され、ケーブルコネクタ７０をコネクタ１０に容易に正しく嵌合することができる。
【００５６】
また、ハウジング５０の天板部５２の保持部受容部５２ａはハウジング本体５１と天板部５２とが連なる方向ＤＳと直交するコンタクト挿入方向ＤＩからコンタクト３０の保持部３１を受け容れるので、天板部５２の高さ寸法を小さくすることができる。したがって、
ＬＥＤ実装基板８１の実装面８１ｂからのコネクタ１０の突出量を少なくすることができ、コネクタ１０によって遮られるＬＥＤ８３の光の量が減る。
【００５７】
更に、コンタクト３０のコンタクト挿入方向ＤＩがハウジング本体５１と天板部５２とが連なる方向ＤＳと直交するので、天板部５２の上面５２ｄに上方へ開放された溝や切欠等を形成する必要がなくなり、ＬＥＤ８３が点灯したときバックライトの導光板（図示せず）に明暗のむらが生じるのを防ぐことができる。また、天板部５２の上面５２ｄに溝や切欠等がない広い平坦なエリアを確保することができるので、天板部５２を図示しないマウンタ（自動実装機）の吸着ノズルで確実かつ容易に吸着することができる。
【００５８】
更に、コンタクト３０の接続部３２，３３がほぼＵ字形に折り曲げられ、接続部３２，３３の先端がハウジング５０に向いているので、コネクタ１０をＬＥＤ実装基板８１に実装するのに必要な実装面積又は実装スペースを小さくすることができる。また、接続部３２，３３がほぼＵ字形に折り曲げられ、その先端部の表面（打抜き加工によって形成される切断面と直交する面）がランド８１ｄ，８１ｃ，８１ｆ，８１ｅに半田付けされるので、接続部３２，３３のランド８１ｄ，８１ｃ，８１ｆ，８１ｅに対する半田付けの面積を大きくすることができ、コンタクトの実装部の半田付け面が打抜き加工によって形成された切断面である従来のコネクタに較べて、接続部３２，３３の半田付け強度が高く、接続部３２，３３がランド８１ｄ，８１ｃ，８１ｆ，８１ｅから剥がれるおそれが少ない。
【００５９】
また、２つのコンタクト３０はそれぞれ２つの接続部３２，３３を有するので、１つのコネクタ１０には４つの接続部３２，３３があり、このうちの１つの接続部３２，３３がＬＥＤ実装基板８１から外れても、コネクタ１０がぐらつくことがなく、ＬＥＤ８３に電力を供給し続けることができる。更に、２つのコンタクト３０はそれぞれ２つの接続部３２，３３を有するので、ホールドダウン（固定用の金具、図示せず）を省略することができる。
【００６０】
また、ハウジング５０の天板部５２の保持部受容部５２ａはハウジング本体５１と天板部５２とが連なる方向ＤＳと直交するコンタクト挿入方向ＤＩからコンタクト３０の保持部３１を受け容れるので、コネクタ１０にケーブルコネクタ７０を接続するときに、ケーブルコネクタ７０によってコネクタ１０のハウジング５０がコネクタ嵌合方向ＤＣに沿って上方へ押圧されても、コンタクト３０がハウジング５０から抜け出るおそれが少ない。
【００６１】
次に、この発明の第２の実施形態のコネクタを図１２〜図１６に基づいて説明する。第１の実施形態と共通する部分には同一符号を付してその説明を省略する。
【００６２】
コネクタ２１０のハウジング２５０のハウジング本体２５１の側面部２５１ｃの内面（コネクタ受容部５１ａの内壁面）にはキー溝２５１ｈが形成されている。キー溝２５１ｈはコネクタ嵌合方向ＤＣへ延びている。キー溝２５１ｈは後述するキー２７１ｄをコネクタ嵌合方向ＤＣへガイドする。
【００６３】
ケーブルコネクタ２７０のハウジング２７１のハウジング本体２７１ｃの側面部の外面にはキー２７１ｄが形成されている。キー２７１ｄはコネクタ嵌合方向ＤＣへ延び、コネクタ２１０のキー溝２５１ｈに挿入される。
【００６４】
第２実施形態よれば、第１実施形態と同様の作用効果を奏するとともに、ケーブルコネクタ２７０をコネクタ２１０により容易に正しく嵌合できる。
【００６５】
第２実施形態では、コネクタ２１０のハウジング２５０のハウジング本体２５１の側面部２５１ｃの内面にキー溝２５１ｈが形成され、ケーブルコネクタ２７０のハウジング２７１のハウジング本体２７１ｃの側面部の外面にキー２７１ｄが形成されているが、コネクタ２１０のハウジング２５０のハウジング本体２５１の側面部２５１ｃの内面にキーを突出するように形成し、ケーブルコネクタ２７０のハウジング２７１のハウジング本体２７１ｃの側面部の外面にキー溝を形成してもよい。
【００６６】
なお、上述の実施形態では、コネクタ１０，２１０のコンタクト３０の接触部３４の接触部分３４ｂはコネクタ嵌合方向ＤＣへ延びているが、必ずしも接触部分３４ｂをコネクタ嵌合方向ＤＣへ延ばす必要はない。
【００６７】
また、上述の実施形態では、コネクタ１０，２１０のハウジング本体５１，２５１の底面を開放したが、必ずしも底面を開放する必要はない。
【００６８】
なお、上述の実施形態では、穴５１ｅをハウジング本体５１，２５１の中央部よりやや天板部５２側に設けたが、穴５１ｅをハウジング本体５１，２５１の中央部に設けてもよい。
【００６９】
また、上述の実施形態では、ハウジング本体５１，２５１の両側面部５１ｃ，２５１ｃにそれぞれ穴５１ｅ，５１ｅを設けたが、必ずしも両側面部５１ｃ，２５１ｃに穴５１ｅ，５１ｅを設ける必要はない。
【００７０】
なお、上述の実施形態では、コネクタ１０，２１０は２つのコンタクト３０を備えているが、コンタクト３０の数は２つに限られず、１つでも３つ以上でもよい。
【００７１】
また、上述の実施形態では、コネクタ１０，２１０が挿入される被挿入部として切欠８１ａが採用されているが、被挿入部は切欠８１ａに限られず、例えば孔でもよい。
【００７２】
なお、上述の実施形態では、接続部３２，３３をほぼＵ字形に折り曲げたが、接続部３２，３３を例えばＪ字形や円弧状に折り曲げてもよい。
【００７３】
また、上述の実施形態では、コンタクト３０は２つの接続部３２，３３を有しているが、コンタクト３０の接続部の数は２つに限られず、１つでも３つ以上でもよい。
【００７４】
なお、上述の実施形態のコネクタ１０，２１０はＬＥＤ実装基板８１に電力を供給するものであるが、この発明のコネクタは電力供給用のコネクタに限られない。
【符号の説明】
【００７５】
１０，２１０：コネクタ、３０：コンタクト、３１：保持部、３１ａ：先端部、３１ｂ：中間部、３１ｃ：後端部、３１ｅ：突起部、３１ｈ：側面、３２，３３：接続部、３４：接触部、３４ａ：幅広部分、３４ｂ：接触部分、３４ｃ：連結部分、５０，２５０：ハウジング、５０ａ：溝、５１，２５１：ハウジング本体、５１ａ：コネクタ受容部、５１ｂ：前面部、５１ｃ，２５１ｃ：側面部、５１ｅ：穴、５１ｆ：開口、２５１ｈ：キー溝、５２：天板部、５２ａ：保持部受容部、５２ｂ：凹部、５２ｃ：凹部、５２ｄ：上面、７０，２７０：ケーブルコネクタ（相手側コネクタ）、７１，２７１：ハウジング（相手側ハウジング），７１ａ：ロック用アーム、７１ｂ：爪、７１ｃ，２７１ｃ：ハウジング本体、２７１ｄ：キー、７２：ケーブル、８１：ＬＥＤ実装基板（基板）、８１ａ：切欠（被挿入部）、８１ｂ：実装面、８１ｃ，８１ｄ，８１ｅ，８１ｆ：ランド、８３：ＬＥＤ、ＤＳ：ハウジング本体５１と天板部５２とが連なる方向、ＤＩ：コンタクト挿入方向、ＤＣ：コネクタ嵌合方向。
【図１】
2012221872.tif 000003
【図２】
2012221872.tif 000004
【図３】
2012221872.tif 000005
【図４】
2012221872.tif 000006
【図５】
2012221872.tif 000007
【図６】
2012221872.tif 000008
【図７】
2012221872.tif 000009
【図８】
2012221872.tif 000010
【図９】
2012221872.tif 000011
【図１０】
2012221872.tif 000012
【図１１】
2012221872.tif 000013
【図１２】
2012221872.tif 000014
【図１３】
2012221872.tif 000015
【図１４】
2012221872.tif 000016
【図１５】
2012221872.tif 000017
【図１６】
2012221872.tif 000018
【図１７】
2012221872.tif 000019
【図１８】
2012221872.tif 000020